(57)【要約】本発明の実施形態は、アプリケーションデータの記憶方法及び端末装置を提供し、通信の分野に関連し、それにより、デフォルトの指定される経路を有するアプリケーションのインストール、及びアプリケーションが実行された後に生成されるデータの記憶は、同じ記憶空間において配置されることが可能となる。方法は、アプリケーションを実行するための、ユーザによってトリガされる命令を受け取るステップと、アプリケーションがインストールされる記憶空間の実経路を決定するステップと、アプリケーションを実行し、その実行後に生成されるデータを取得するステップと、アプリケーション実行後に生成されるデータを、アプリケーションがインストールされる記憶空間の実経路において記憶するステップとを有する。本発明の実施形態は、携帯電話機の使用に適用される。
2014526088.tif 000002
【特許請求の範囲】
【請求項１】
アプリケーションを実行するための、ユーザによってトリガされる命令を受け取るステップと、
前記アプリケーションがインストールされる記憶空間の実経路を決定するステップと、
前記アプリケーションを実行し、該アプリケーションが実行された後に生成されるデータを取得するステップと、
前記アプリケーションが実行された後に生成される前記データを、前記アプリケーションがインストールされる前記記憶空間の前記実経路において記憶するステップと
を有するアプリケーションデータの記憶方法。
【請求項２】
前記アプリケーションがインストールされる記憶空間の実経路を決定する前記ステップは、
アプリケーション識別を取得するステップと、
前記アプリケーション識別に従って、前記アプリケーションがインストールされる記憶空間の実経路をデータベースから検索するステップと
を有し、
前記記憶空間の前記実経路は、前記アプリケーション識別に対応する、
請求項１に記載のアプリケーションデータの記憶方法。
【請求項３】
アプリケーションを実行するための、ユーザによってトリガされる命令を受け取る前記ステップの前に、当該方法は、
前記ユーザから前記アプリケーションをインストールするための命令を受け取った後、前記アプリケーションがインストールされ得る各記憶空間の実経路をユーザに示すステップと、
前記ユーザによって選択される記憶空間の実経路を受け取るステップと、
前記ユーザによって選択される前記記憶空間の前記実経路において前記アプリケーションをインストールし、データベースにおいて、前記アプリケーションの識別を示し且つ前記アプリケーションによって運ばれるアプリケーション識別と、前記アプリケーションがインストールされる前記記憶空間の前記実経路との間のマッピングを記憶するステップと
を更に有する、請求項１又は２に記載のアプリケーションデータの記憶方法。
【請求項４】
デフォルト経路が前記アプリケーションにおいて設定され、該デフォルト経路は、前記アプリケーションに、該アプリケーションが実行された後に生成される前記データを当該デフォルト経路において記憶するよう命じるために使用される、
請求項１乃至３のうちいずれか一項に記載のアプリケーションデータの記憶方法。
【請求項５】
前記アプリケーションがインストールされる前記記憶空間の前記実経路のルートディレクトリは、前記デフォルト経路のルートディレクトリと同じである、
請求項４に記載のアプリケーションデータの記憶方法。
【請求項６】
前記ルートディレクトリは“/sdcard”である、
請求項５に記載のアプリケーションデータの記憶方法。
【請求項７】
アプリケーションを実行するための、ユーザによってトリガされる命令を受け取るよう構成される受信部と、
前記アプリケーションがインストールされる記憶空間の実経路を決定するよう構成される決定部と、
前記アプリケーションを実行し、該アプリケーションが実行された後に生成されるデータを取得するよう構成される実行部と、
前記アプリケーションが実行された後に生成される前記データを、前記アプリケーションがインストールされる前記記憶空間の前記実経路において記憶するよう構成される記憶部と
を有する端末装置。
【請求項８】
前記ユーザが前記アプリケーションをインストールすると決定する命令を受け取った後、前記アプリケーションがインストールされ得る各記憶空間の実経路をユーザに示すよう構成されるプロンプト部と、
前記ユーザによって選択される記憶空間の実経路を受け取るよう構成される選択部と、
前記ユーザによって選択される前記記憶空間の前記実経路において前記アプリケーションをインストールし、データベースにおいて、前記アプリケーションの識別を示し且つ前記アプリケーションによって運ばれるアプリケーション識別と、前記アプリケーションがインストールされる前記記憶空間の前記実経路との間のマッピングを記憶するよう構成されるインストール部と
を更に有する請求項７に記載の端末装置。
【請求項９】
前記決定部は、
アプリケーション識別を取得するよう構成される識別取得モジュールと、
前記アプリケーション識別に従って、前記アプリケーションがインストールされる記憶空間の実経路をデータベースから検索するよう構成される経路決定モジュールと
を有し、
前記記憶空間の前記実経路は、前記アプリケーション識別に対応する、
請求項７又は８に記載の端末装置。
【請求項１０】
デフォルト経路が前記アプリケーションにおいて設定され、該デフォルト経路は、前記アプリケーションに、該アプリケーションが実行された後に生成される前記データを当該デフォルト経路において記憶するよう命じるために使用される、
請求項７乃至９のうちいずれか一項に記載の端末装置。
【請求項１１】
前記アプリケーションがインストールされる前記記憶空間の前記実経路のルートディレクトリは、前記デフォルト経路のルートディレクトリと同じである、
請求項１０に記載の端末装置。
【請求項１２】
前記ルートディレクトリは“/sdcard”である、
請求項１１に記載の端末装置。
【請求項１３】
当該端末装置は携帯電話機であり、該携帯電話機は、無線周波数回路、オーディオ回路及び電源回路を更に有し、
前記無線周波数回路は、前記携帯電話機と無線ネットワークとの間の通信を確立し、前記携帯電話機と前記無線ネットワークとの間のデータ送受信を実施するために使用され、
前記オーディオ回路は、音響を収集し、該収集された音響を音響データに変換して、前記携帯電話機が前記音響データを前記無線ネットワークへ前記無線周波数回路を通じて送信するようにし、且つ／あるいは、前記携帯電話機によって前記無線ネットワークから前記無線周波数回路を通じて受信される音響データを音響へと復元し、該音響をユーザに再生するために使用され、
前記電源回路は、電力を前記携帯電話機のあらゆる回路又は構成要素へ供給するために使用される、
請求項７乃至１２のうちいずれか一項に記載の端末装置。
【発明の詳細な説明】
【技術分野】
【０００１】
本発明は、通信の分野、特に、アプリケーションデータの記憶方法及び端末装置に関する。
【背景技術】
【０００２】
先行技術において、携帯電話機の記憶空間は、記憶空間の場所に従って、自己記憶空間と、拡張記憶空間とに分類され得る（例えば、自己記憶空間としての内蔵ＳＤカード（自己記憶チップに設けられた別個の記憶空間）及び拡張記憶空間としての外部ＳＤカード）。このように、それは、携帯電話機が２つのＳＤカードを持っているのと同等である。
【０００３】
現在、アプリケーションのインストールと、アンドロイド（登録商標）（Android）のようなオープンプラットフォームでの実行データの記憶とのために、指定される経路のみがデフォルトによって使用され、例えば、経路“/sdcard”が特定される。一部の製造者は、携帯電話機が工場から出る前に、直接に、内蔵ＳＤカードを指定経路“/sdcard”にマッピングし、一部の製造者は、直接に、外部ＳＤカードを指定経路“/sdcard”にマッピングし、そして、一部の製造者は、外部ＳＤカードが挿入されるか又は抜き出される場合に内蔵ＳＤカード及び外部ＳＤカードのマッピング経路を切り替える。
【０００４】
工場における内蔵ＳＤカード及び外部ＳＤカードの異なる経路マッピングモードは、ユーザにとって大いに不便である。例えば、特定の携帯電話機の内蔵ＳＤカードが固定で指定経路“/sdcard”へマッピングされる場合に、ユーザが外部ＳＤカードにアプリケーションをインストールするならば、アプリケーションが実行された後に生成されるデータは依然として内蔵ＳＤカードにおいて記憶され、一方、特定の携帯電話機の外部ＳＤカードが固定で指定経路“/sdcard”へマッピングされる場合に、ユーザが内蔵ＳＤカードにアプリケーションをインストールするならば、アプリケーションが実行された後に生成されるデータは依然として外部ＳＤカードにおいて記憶される。
【発明の概要】
【発明が解決しようとする課題】
【０００５】
本発明の実施形態は、アプリケーションデータの記憶方法及び端末装置を提供し、それにより、デフォルトの指定される経路を有するアプリケーションのインストール、及びアプリケーションが実行された後に生成されるデータの記憶は、同じ記憶空間において配置されることが可能となる。
【課題を解決するための手段】
【０００６】
上記の課題を解消するよう、本発明の実施形態は、以下の技術的解決法を採用する。
【０００７】
一態様において、
アプリケーションを実行するための、ユーザによってトリガされる命令を受け取るステップと、
前記アプリケーションがインストールされる記憶空間の実経路を決定するステップと、
前記アプリケーションを実行し、該アプリケーションが実行された後に生成されるデータを取得するステップと、
前記アプリケーションが実行された後に生成される前記データを、前記アプリケーションがインストールされる前記記憶空間の前記実経路において記憶するステップと
を有するアプリケーションデータの記憶方法が、提供される。
【０００８】
他の態様において、
アプリケーションを実行するための、ユーザによってトリガされる命令を受け取るよう構成される受信部と、
前記アプリケーションがインストールされる記憶空間の実経路を決定するよう構成される決定部と、
前記アプリケーションを実行し、該アプリケーションが実行された後に生成されるデータを取得するよう構成される実行部と、
前記アプリケーションが実行された後に生成される前記データを、前記アプリケーションがインストールされる前記記憶空間の前記実経路において記憶するよう構成される記憶部と
を有する端末装置が、提供される。
【０００９】
本発明の実施形態において提供されるアプリケーションデータの記憶方法及び端末装置によれば、ローカルアプリケーションを実行するための、ユーザによってトリガされる命令が受け取られ、前記アプリケーションがインストールされる記憶空間の実経路が決定され、前記アプリケーションが実行されて、該アプリケーションが実行された後に生成されるデータが取得され、該データは、前記アプリケーションがインストールされる前記記憶空間の前記実経路において記憶される。このように、アプリケーションがインストールされる記憶空間の実経路を決定することによって、アプリケーションが実行された後に生成されるデータは、アプリケーションがインストールされる記憶空間の実経路において記憶され、それにより、デフォルトの指定される経路を有するアプリケーションのインストール、及びアプリケーションが実行された後に生成されるデータの記憶は、同じ記憶空間において配置されることが可能となり、ユーザの使用を簡便にする。
【００１０】
本発明の実施形態における又は先行技術における技術的解決法をより明りょうに記述するよう、実施形態又は先行技術を記述するために必要とされる添付の図面が、以下で簡単に紹介される。明らかに、以下の記載における添付の図面は、本発明の実施形態の一部しか示しておらず、当業者はまた、創造的な活動によらずそれらの添付の図面に従って他の図面を得ることができる。
【図面の簡単な説明】
【００１１】
【図１】本発明の実施形態に従うアプリケーションデータの記憶方法のフローチャートである。
【図２】本発明の実施形態に従うアプリケーションデータの他の記憶方法のフローチャートである。
【図３】本発明の実施形態に従う端末装置の略構造図である。
【図４】本発明の実施形態に従う他の端末装置の略構造図である。
【発明を実施するための形態】
【００１２】
本発明の実施形態における技術的解決法は、明りょうに且つ完全に、本発明の実施形態において添付の図面を参照して以下で記載される。明らかに、記載される実施形態は、本発明の全ての実施形態ではなく一部にすぎない。創造的な活動によらずに本発明の実施形態に基づき当業者によって得られる全ての他の実施形態は、本発明の保護範囲内にあるべきである。
【００１３】
本発明の実施形態は、以下のステップを含む、図１に示されるアプリケーションデータの記憶方法を提供する。
【００１４】
Ｓ１０１：アプリケーションを実行するための、ユーザによってトリガされる命令を受け取る。
【００１５】
Ｓ１０２：アプリケーションがインストールされる記憶空間の実経路を決定する。
【００１６】
Ｓ１０３：アプリケーションを実行し、アプリケーションが実行された後に生成されるデータを取得する。
【００１７】
Ｓ１０４：アプリケーションが実行された後に生成されるデータを、アプリケーションがインストールされる記憶空間の実経路において記憶する。
【００１８】
このように、アプリケーションがインストールされる記憶空間の実経路を決定することによって、アプリケーションが実行された後に生成されるデータは、アプリケーションがインストールされる記憶空間の実経路において記憶され、それにより、デフォルトの指定される経路を有するアプリケーションのインストール、及びアプリケーションが実行された後に生成されるデータの記憶は、同じ記憶空間において配置されることが可能となり、ユーザの使用を簡便にする。
【００１９】
本発明の他実施形態は、一例として端末装置として機能するアンドロイド（登録商標）搭載携帯電話機を考えることよって記載されるアプリケーションデータの記憶方法を提供し、具体的なステップは、図２において示されている。
【００２０】
この実施形態では、携帯電話機が工場から出る前に、アプリケーションがインストールされ得る２つの記憶空間が与えられる。すなわち、自己記憶空間（すなわち、内蔵ＳＤカード）及び拡張記憶空間（すなわち、外部ＳＤカード）である。この実施形態では、携帯電話機が工場から出る前に、内蔵ＳＤカードの実経路が“/sdcard/inner”に設定され、外部ＳＤカードの実経路が“/sdcard/outer”に設定されるとする。前述の記憶空間の実経路は、実際の状況に応じてランダムに設定されてよく、ここで提示されるのは一例にすぎない。
【００２１】
Ｓ２０１：携帯電話機が、アプリケーションをインストールするための命令をユーザから受け取り、ユーザに、アプリケーションがインストールされ得る各記憶空間の実経路情報を示す。
【００２２】
この実施形態では、ユーザがアンドロイド（登録商標）オープンプラットフォームのアプリケーションを携帯電話機にダウンロードした後、ユーザがアプリケーションをインストールする場合に、すなわち、携帯電話機がアプリケーションをインストールするための命令をユーザから受け取った後に、携帯電話機は、ユーザに、アプリケーションがインストールされ得る各記憶空間の実経路情報を示す。この実施形態では、ユーザの確認を容易にするよう、携帯電話機は、アプリケーションがインストールされ得る内蔵ＳＤカードの記憶空間及び外部ＳＤカードの記憶空間をユーザに対して表示し、ユーザは、実行決定により実際の要件に従ってインストールのための記憶空間を選択してよい。ここで、内蔵ＳＤカードの記憶空間及び外部ＳＤカードの記憶空間の夫々の実経路は、夫々“/sdcard/inner”及び“/sdcard/outer”である。
【００２３】
Ｓ２０２：携帯電話機が、ユーザによって選択された記憶空間の実経路を受け取る。
【００２４】
この実施形態では、ユーザは、アプリケーションをインストールするための記憶空間として外部ＳＤカードを選択し、ユーザによって選択されて携帯電話機によって受け取られた記憶空間の実経路は、“/sdcard/outer”であるとする。
【００２５】
Ｓ２０３：携帯電話機が、ユーザによって選択された記憶空間の実経路においてアプリケーションをインストールする。
【００２６】
開発プラットフォームのアプリケーションに関し、デフォルト経路はアプリケーションにおいて設定され、デフォルト経路は、アプリケーションに、アプルケーションが実行された後に生成されるデータをデフォルト経路において記憶するよう明示するために使用される点が留意されるべきである。デフォルト経路は、よく知られた経路である。アンドロイド（登録商標）アプリケーションが実行される場合に、アンドロイド搭載携帯電話機において、物理レイヤから中間レイヤへの伝送のための経路は、デフォルトにより前述のデフォルト経路として設定される。この実施形態では、アンドロイド（登録商標）アプリケーションのデフォルト経路は“/sdcard”であるとする。
【００２７】
この実施形態では、ユーザがアプリケーションをインストールするために外部ＳＤカードを選択する場合は、アプリケーションは外部ＳＤカードの経路“/sdcard/outer”においてインストールされる。携帯電話機の中間レイヤは、アプリケーションがインストールされる場合に、アプリケーションのアプリケーション識別と、アプリケーションがインストールされる記憶空間の実経路とを記憶してよく、携帯電話機のデータベースにおいて、アプリケーション識別と、アプリケーションがインストールされる記憶空間の実経路との間のマッピングを記憶する。携帯電話機が起動するたびにアプリケーションがロードされる場合に、中間レイヤは、アプリケーションＩＤと記憶空間の実経路とに関する情報を取得してよい。
【００２８】
Ｓ２０４：携帯電話機が、アプリケーションを実行するための、ユーザによってトリガされる命令を受け取る。
【００２９】
実際の使用において、端末装置は、一般的に、データ処理プロセスを３つのレイヤに分割する。第１のレイヤはアプリケーションレイヤ、すなわち、システムへのユーザの友好的アクセスを提供するクライアント（ユーザインターフェースレイヤとも呼ばれる。）である。第２のレイヤは中間レイヤ（アプリケーションサービスレイヤとも呼ばれる。）であり、サービスロジックを実施するために使用される。第３のレイヤはドライブレイヤ（データソースレイヤとも呼ばれる。）であり、データ情報の記憶、アクセス及び最適化に関与し、従って、アプリケーションが実行された後のデータアクセスは、ドライブレイヤにおいて行われる。先行技術において、ユーザがアプリケーションをトリガした後、アプリケーションレイヤは、アプリケーションのデフォルト経路をドライブレイヤへ中間レイヤを通じてトランスペアレント伝送し、ドライブレイヤは、デフォルト経路に従って、アプリケーションが実行された後に生成されるデータを記憶する。従って、アンドロイド（登録商標）プラットフォームのアプリケーションが実行された後に生成されるデータは、デフォルトによりデフォルト経路において記憶される。概して、既存のアプリケーションは、一般的に、デフォルト経路として経路“/sdcard”を使用する。すなわち、アプリケーションが実行された後に生成されるデータは、デフォルトにより経路“/sdcard”において記憶される。
【００３０】
Ｓ２０５：携帯電話機が、アプリケーションがインストールされる記憶空間の実経路を決定する。
【００３１】
携帯電話機がアプリケーションを実行するための、ユーザによってトリガされる命令を受け取った後、携帯電話機は、アプリケーションの識別を示し且つアプリケーションによって運ばれるアプリケーションＩＤを取得する。次いで、携帯電話機は、アプリケーションＩＤに従って、アプリケーションがインストールされる記憶空間の実経路をデータベースから検索する。このとき、記憶空間の実経路はアプリケーションＩＤに対応する。アプリケーションＩＤと、アプリケーションがインストールされる記憶空間の実経路との間のマッピングは、アプリケーションがインストールされるときにデータベースにおいてアプリケーションレイヤによって記録され記憶される。データベースは、携帯電話機においてデータ記憶のために使用される一般的なデータベースであってよく、また、別個に確立されて、アプリケーションＩＤと、アプリケーションがインストールされる記憶空間の実経路との間のマッピングを記憶するよう指定されるデータベースであってもよい。それは、この点で制限されない。例えば、携帯電話機は、アプリケーションＩＤに従って、アプリケーションがインストールされる、アプリケーションＩＤに対応する記憶空間の実経路を取得するようデータベースをスキャンしてよく、また、２次元アレイクエリ方式においてマッピングを取得して、そのマッピングに従って、アプリケーションがインストールされる記憶空間の実経路を取得してもよい。
【００３２】
この実施形態では、アプリケーションがインストールされる記憶空間は外部ＳＤカードであり、クエリにより取得される実経路は経路“/sdcard/outer”である。
【００３３】
Ｓ２０６：アプリケーションを実行し、アプリケーションが実行された後に生成されるデータを取得する。
【００３４】
アプリケーションを実行し、アプリケーションが実行された後に生成されるデータを取得するステップは、携帯電話機のドライブレイヤにおいて実行される。
【００３５】
Ｓ２０７：アプリケーションが実行された後に生成されるデータを、アプリケーションがインストールされる記憶空間の実経路において記憶する。
【００３６】
この実施形態では、産業におけるルールに従って、アプリケーションによって予め決定されるデフォルト経路は“/sdcard”であり、アプリケーションが外部ＳＤカードにおいてインストールされると携帯電話機の中間レイヤが決定した後、中間レイヤは外部ＳＤカードの実経路“/sdcard/outer”を取得することができる。アプリケーションが実行される場合に、物理レイヤは、アプリケーションのデフォルト経路“/sdcard”を中間レイヤへ送信する。しかし、中間レイヤは、本発明のこの実施形態では、もはや、先行技術において見られるようにデフォルト経路“/sdcard”をドライブレイヤへ送信せず、取得した実経路“/sdcard/outer”をドライブレイヤへ送信する。それにより、ドライブレイヤは、アプリケーションが実行された後に生成されるデータを実経路“/sdcard/outer”において記憶する。
【００３７】
特に、経路の送信関係は、携帯電話機が工場から出る前に設定されてよい。加えて、携帯電話機がアプリケーションを実行するための、ユーザによってトリガされる命令を受け取る場合に、アプリケーションのインストール位置を決定した後、中間レイヤは、異なるインストール位置に従って相当して異なる実経路をドライブレイヤへ送信してよい。従って、この実施形態において提供されるアプリケーションデータの記憶方法では、ステップＳ２０７及び前述のステップのシーケンスは単なる例であり、実際の使用においてこの点で制限されない。本発明において開示される技術的範囲内で当業者によって容易に考え出され得る如何なる変形例も、全て本発明の保護範囲内にあるべきである。
【００３８】
この実施形態では、外部ＳＤカードにおけるアプリケーションのインストールが説明のための例として考えられているが、明らかに、ユーザは、内蔵ＳＤカードにおいてもアプリケーションをインストールしてよい。この場合に、アプリケーションが実行された後に、中間レイヤは、取得された実経路”/sdcard/inner”をドライブレイヤへ送信する。そのプロセス及び効果は、前述の実施形態のプロセス及び効果と同じであるから、ここでは再度記載されない。
【００３９】
このように、アプリケーションがインストールされる記憶空間が携帯電話機の自己記憶空間である場合に、アプリケーションが実行された後に生成されるデータも最終的に携帯電話機の自己記憶空間において記憶される。一方、アプリケーションがインストールされる記憶空間が携帯電話機の拡張記憶空間である場合に、アプリケーションが実行された後に生成されるデータも最終的に携帯電話機の拡張記憶空間において記憶される。２つの場合において、アプリケーションのインストールと、アプリケーションが実行された後に生成されるデータの記憶とは、同じ記憶空間において配置されることが可能となり、これは、携帯電話機のユーザが使用するのに都合がよい。実際の場合において、拡張記憶空間が外部ＳＤカードである場合に、アプリケーションがインストールされる記憶空間が携帯電話機の自己記憶空間であるならば、アプリケーションのインストール及び実行はいずれも、外部ＳＤカードには無関係であり、外部ＳＤカードの挿入及び抜き取りはアプリケーションのインストール及び実行に影響を与えない。アプリケーションがインストールされる記憶空間が携帯電話機の拡張記憶空間である場合に、外部ＳＤカードが定位置にあるならば、アプリケーションは外部ＳＤカードにおいて記憶され、そして、外部ＳＤカードが抜き取られるならば、すなわち、外部ＳＤカードが定位置にないならば、アプリケーション及びアプリケーションが実行された後に生成されるデータは、それらが外部ＳＤカードにおいて記憶されているので失われ、そして、外部ＳＤカードが再び挿入される場合に、経路設定は依然として存在しており、従って、アプリケーションの再実行及び該実行後に生成されるデータファイルの記憶は影響を及ぼされない。
【００４０】
更に、携帯電話機における各記憶空間の実経路のルートディレクトリは、デフォルト経路のルートディレクトリと同じであってよい。例えば、記憶空間の実経路のルートディレクトリは“/sdcard”に設定されてよい。このように、先行技術においてデフォルトによりディレクトリ“/sdcard”にある全てのディレクトリ内のファイルを自動的にスキャンする一部のメディアアプリケーション（例えば、音楽（MUSIC）及びピクチャ（PICTURE））は、正常に実行され得ることが確かにされる。
【００４１】
本発明のこの実施形態において提供されるアプリケーションデータの記憶方法によれば、アプリケーションがインストールされる記憶空間の実経路を決定することによって、アプリケーションが実行された後に生成されるデータは、アプリケーションがインストールされる記憶空間において直接に記憶されるようになり、それにより、デフォルトの指定される経路を有するアプリケーションのインストール、及びアプリケーションが実行された後に生成されるデータの記憶は、同じ記憶空間において配置されることが可能となり、ユーザの使用を簡便にする。
【００４２】
特に、先行技術において、一部の携帯電話機が、外部ＳＤカードが挿入されるか又は抜き出される場合に内蔵ＳＤカード及び外部ＳＤカードのマッピング経路を切り替える場合に関し、外部ＳＤカードが挿入される場合に、外部ＳＤカードのマッピング経路はデフォルト経路、すなわち“/sdcard”へ切り替えられてよく、内蔵ＳＤカードのマッピング経路は、デフォルト経路と同じルートディレクトリを有する非デフォルト経路、例えば“/sdcard/inner”へ切り替えられてよい。このように、先行技術においてデフォルトによりディレクトリ“/sdcard”にある全てのディレクトリ内のファイルを自動的にスキャンする一部のメディアアプリケーション（例えば、音楽（MUSIC）及びピクチャ（PICTURE））は、正常に実行され得ることが確かにされる。
【００４３】
本発明の実施形態は、以下の構成要素を含む、図３に示される端末装置３０を提供する。
【００４４】
受信部３０１は、ローカルアプリケーションを実行するための、ユーザによってトリガされる命令を受け取るよう構成される。
【００４５】
デフォルト経路がアプリケーションにおいて設定され、デフォルト経路は、アプリケーションに、アプリケーションが実行された後に生成されるデータをデフォルト経路において記憶するよう命じるために使用される。
【００４６】
決定部３０２は、アプリケーションがインストールされる記憶空間の実経路を決定するよう構成される。
【００４７】
決定部３０２は、アプリケーションの識別を含み且つアプリケーションによって運ばれるアプリケーション識別を取得するよう構成される識別取得モジュールと、アプリケーション識別に従って、アプリケーションがインストールされる記憶空間の実経路をデータベースから探すよう構成される経路決定モジュールとを有する。このとき、記憶空間の実経路はアプリケーション識別に対応する。
【００４８】
アプリケーション識別と、アプリケーションがインストールされる記憶空間の実経路との間のマッピングは、アプリケーションがインストールされるときにデータベースにおいてアプリケーションレイヤによって記録され記憶される。
【００４９】
実行部３０３は、アプリケーションを実行し、アプリケーションが実行された後に生成されるデータを取得するよう構成される。
【００５０】
記憶部３０４は、アプリケーションが実行された後に生成されるデータを、アプリケーションがインストールされる記憶空間の実経路において記憶するよう構成される。
【００５１】
このように、実行部３０３は、受信部３０１がローカルアプリケーションを実行するための、ユーザによってトリガされる命令を受け取った後に、アプリケーションを実行し、記憶部３０４は、アプリケーションがインストールされる記憶空間の実経路に従って、アプリケーションが実行された後に生成されるデータを、決定部３０２によって決定される記憶空間の実経路において記憶し、それにより、アプリケーションが実行された後に生成されるデータは、アプリケーションがインストールされる記憶空間において記憶され、従って、デフォルトの指定される経路を有するアプリケーションのインストール、及びアプリケーションが実行された後に生成されるデータの記憶は、同じ記憶空間において配置されることが可能となり、ユーザの使用を簡便にする。
【００５２】
更に、図４において示されるように、端末装置３０は、
ユーザがアプリケーションをインストールすると決定する命令を受け取った後、アプリケーションがインストールされ得る各記憶空間の実経路をユーザに示すよう構成されるプロンプト部３０５と、
ユーザによって選択される記憶空間の実経路を受け取るよう構成される選択部３０６と、
ユーザによって選択される記憶空間の実経路においてアプリケーションをインストールし、データベースにおいて、アプリケーションの識別を示し且つアプリケーションによって運ばれるアプリケーション識別と、アプリケーションがインストールされる記憶空間の実経路との間のマッピングを記憶するよう構成されるインストール部３０７と
を更に有する。
【００５３】
端末装置の各記憶空間の実経路のルートディレクトリは、デフォルト経路のルートディレクトリと同じである点に留意すべきである。記憶空間の実経路のルートディレクトリは“/sdcard”ディレクトリであってよい。
【００５４】
端末装置には、携帯電話機、ヒューマン・マシン・インターフェース端末、電子ブック、及び表示機能を備えたあらゆる端末がある。
【００５５】
端末装置が携帯電話機である場合に、携帯電話機は、無線周波数回路、オーディオ回路及び電源回路を更に有する。
【００５６】
無線周波数回路は、携帯電話機と無線ネットワークとの間の通信を確立し、携帯電話機と無線ネットワークとの間のデータ送受信を実施するために使用される。
【００５７】
オーディオ回路は、音響を収集し、収集された音響を音響データに変換して、携帯電話機が音響データを無線ネットワークへ無線周波数回路を通じて送信するようにし、且つ／あるいは、携帯電話機によって無線ネットワークから無線周波数回路を通じて受信される音響データを音響へと復元し、音響をユーザに再生するために使用される。
【００５８】
電源回路は、電力を携帯電話機のあらゆる回路又は構成要素へ供給するために使用される。
【００５９】
携帯電話機は、携帯電話機の基本機能を実施するために表示スクリーン、電源等を更に有してよい。特に、オーディオ回路はマイクロホン及びラウドスピーカを有し、マイクロホンは、音響を収集し、収集された音響を音響データに変換して、携帯電話機が音響データを無線ネットワークへ無線周波数回路を通じて送信するようにするために使用され、ラウンドスピーカは、携帯電話機によって無線ネットワークから無線周波数回路を通じて受信される音響データを音響へと復元し、音響をユーザに再生するために使用される。
【００６０】
電源は、主に、携帯電話機の正常な動作を確かにするために、電力を携帯電話機のあらゆる回路又は構成要素へ供給するために使用される。
【００６１】
本発明のこの実施形態において提供される端末装置において、実行部３０３は、受信部３０１がローカルアプリケーションを実行するための、ユーザによってトリガされる命令を受け取った後に、アプリケーションを実行し、記憶部３０４は、アプリケーションがインストールされる記憶空間の実経路に従って、アプリケーションが実行された後に生成されるデータを、決定部３０２によって決定される記憶空間の実経路において記憶し、それにより、アプリケーションが実行された後に生成されるデータは、アプリケーションがインストールされる記憶空間において記憶され、従って、デフォルトの指定される経路を有するアプリケーションのインストール、及びアプリケーションが実行された後に生成されるデータの記憶は、同じ記憶空間において配置されることが可能となり、ユーザの使用を簡便にする。
【００６２】
上記の説明は、本発明の実施例にすぎず、本発明を制限するよう意図されない。本発明において開示される技術的範囲内で当業者によって容易に考え出され得るあらゆる変形例及び改良は、全て本発明の保護範囲内にあるべきである。従って、本発明の保護範囲は、特許請求の範囲の技術的範囲に従うべきである。
【００６３】
［関連出願の相互参照］
本願は、２０１２年２月２８日付けで中国特許庁に出願された中国特許出願第２０１２１００４７７６１．３号（発明の名称「Method  for  Storing  Application  Data  and  Terminal  Device」）に基づく優先権を主張するものです。なお、当該中国出願は、その全文を参照により本願に援用される。
【図１】
2014526088.tif 000003
【図２】
2014526088.tif 000004
【図３】
2014526088.tif 000005
【図４】
2014526088.tif 000006
【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
アプリケーションを実行するための、ユーザによってトリガされる命令を受け取るステップと、
前記アプリケーションがインストールされる記憶空間の実経路を決定するステップと、
前記アプリケーションを実行し、該アプリケーションが実行された後に生成されるデータを取得するステップと、
前記アプリケーションが実行された後に生成される前記データを、前記アプリケーションがインストールされる前記記憶空間の前記実経路において記憶するステップと
を有するアプリケーションデータの記憶方法。
【請求項２】
デフォルト経路が前記アプリケーションにおいて設定され、該デフォルト経路は、前記アプリケーションに、該アプリケーションが実行された後に生成される前記データを当該デフォルト経路において記憶するよう命じるために使用される、
請求項１に記載のアプリケーションデータの記憶方法。
【請求項３】
前記アプリケーションがインストールされる記憶空間の実経路を決定する前記ステップは、
アプリケーション識別を取得するステップと、
前記アプリケーション識別に従って、前記アプリケーションがインストールされる記憶空間の実経路をデータベースから検索するステップと
を有し、
前記記憶空間の前記実経路は、前記アプリケーション識別に対応する、
請求項１又は２に記載のアプリケーションデータの記憶方法。
【請求項４】
アプリケーションを実行するための、ユーザによってトリガされる命令を受け取る前記ステップの前に、当該方法は、
前記ユーザから前記アプリケーションをインストールするための命令を受け取った後、前記アプリケーションがインストールされ得る各記憶空間の実経路をユーザに示すステップと、
前記ユーザによって選択される記憶空間の実経路を受け取るステップと、
前記ユーザによって選択される前記記憶空間の前記実経路において前記アプリケーションをインストールし、データベースにおいて、前記アプリケーションの識別を示し且つ前記アプリケーションによって運ばれるアプリケーション識別と、前記アプリケーションがインストールされる前記記憶空間の前記実経路との間のマッピングを記憶するステップと
を更に有する、請求項１乃至３のうちいずれか一項に記載のアプリケーションデータの記憶方法。
【請求項５】
前記アプリケーションがインストールされる前記記憶空間の前記実経路のルートディレクトリは、前記デフォルト経路のルートディレクトリと同じである、
請求項２乃至４のうちいずれか一項に記載のアプリケーションデータの記憶方法。
【請求項６】
前記ルートディレクトリは“/sdcard”である、
請求項５に記載のアプリケーションデータの記憶方法。
【請求項７】
アプリケーションを実行するための、ユーザによってトリガされる命令を受け取るよう構成される受信部と、
前記アプリケーションがインストールされる記憶空間の実経路を決定するよう構成される決定部と、
前記アプリケーションを実行し、該アプリケーションが実行された後に生成されるデータを取得するよう構成される実行部と、
前記アプリケーションが実行された後に生成される前記データを、前記アプリケーションがインストールされる前記記憶空間の前記実経路において記憶するよう構成される記憶部と
を有する端末装置。
【請求項８】
デフォルト経路が前記アプリケーションにおいて設定され、該デフォルト経路は、前記アプリケーションに、該アプリケーションが実行された後に生成される前記データを当該デフォルト経路において記憶するよう命じるために使用される、
請求項７に記載の端末装置。
【請求項９】
前記ユーザが前記アプリケーションをインストールすると決定する命令を受け取った後、前記アプリケーションがインストールされ得る各記憶空間の実経路をユーザに示すよう構成されるプロンプト部と、
前記ユーザによって選択される記憶空間の実経路を受け取るよう構成される選択部と、
前記ユーザによって選択される前記記憶空間の前記実経路において前記アプリケーションをインストールし、データベースにおいて、前記アプリケーションの識別を示し且つ前記アプリケーションによって運ばれるアプリケーション識別と、前記アプリケーションがインストールされる前記記憶空間の前記実経路との間のマッピングを記憶するよう構成されるインストール部と
を更に有する請求項７又は８に記載の端末装置。
【請求項１０】
前記決定部は、
アプリケーション識別を取得するよう構成される識別取得モジュールと、
前記アプリケーション識別に従って、前記アプリケーションがインストールされる記憶空間の実経路をデータベースから検索するよう構成される経路決定モジュールと
を有し、
前記記憶空間の前記実経路は、前記アプリケーション識別に対応する、
請求項７乃至９のうちいずれか一項に記載の端末装置。
【請求項１１】
前記アプリケーションがインストールされる前記記憶空間の前記実経路のルートディレクトリは、前記デフォルト経路のルートディレクトリと同じである、
請求項８乃至１０のうちいずれか一項に記載の端末装置。
【請求項１２】
前記ルートディレクトリは“/sdcard”である、
請求項１１に記載の端末装置。
【請求項１３】
当該端末装置は携帯電話機であり、該携帯電話機は、無線周波数回路、オーディオ回路及び電源回路を更に有し、
前記無線周波数回路は、前記携帯電話機と無線ネットワークとの間の通信を確立し、前記携帯電話機と前記無線ネットワークとの間のデータ送受信を実施するために使用され、
前記オーディオ回路は、音響を収集し、該収集された音響を音響データに変換して、前記携帯電話機が前記音響データを前記無線ネットワークへ前記無線周波数回路を通じて送信するようにし、且つ／あるいは、前記携帯電話機によって前記無線ネットワークから前記無線周波数回路を通じて受信される音響データを音響へと復元し、該音響をユーザに再生するために使用され、
前記電源回路は、電力を前記携帯電話機のあらゆる回路又は構成要素へ供給するために使用される、
請求項７乃至１２のうちいずれか一項に記載の端末装置。
【国際調査報告】
2014526088.tif 000007
2014526088.tif 000008
2014526088.tif 000009
2014526088.tif 000010